(57)【特許請求の範囲】
【請求項１】
前方に開口を有し、上下２室に区画された収納キャビネットを備え、この収納キャビネットの下方室の天井部に廃気捕集用の天蓋を形成し、前記天蓋を下面に吸気口を設けた中空の平板状に形成するとともに上面に家電品等の物品を載置できるようにし、前記天蓋から上方室の天井部に連通した排気経路を立ち上げ、送風装置により、前記吸気口から吸い込んで捕集した廃気を前記排気経路を通じて上方室天井部近傍から収納キャビネットの開口前方に排出する構成とした家電収納装置。
【請求項２】
排気経路を収納キャビネットの背面に配置した請求項１に記載の家電収納装置。
【請求項３】
排気経路を収納キャビネットの側面に配置した請求項１に記載の家電収納装置。
【請求項４】
排気経路を収納キャビネットの背面と側面のコーナー部に配置した請求項１に記載の家電収納装置。
【請求項５】
上方室の天井部にも廃気捕集用の天蓋を形成し、下方室と上方室の双方で捕集した廃気を、上方室天井部から収納キャビネットの開口前方に排出する構成とした請求項１〜４のいずれか１項に記載の家電収納装置。
【請求項６】
下方室から上方室に立ち上げた排気経路の任意の高さ位置に複数個の開閉自在な通風口を設け、廃気捕集用の天蓋は前記の任意の通風口と連通し高さ位置を可変とした請求項１〜５のいずれかに記載の家電収納装置。
【請求項７】
送風装置によって廃気を開口前方へ放出する排気口の高さを１m７０cm〜１m９０cmに、また、上方室の底面の高さを床面から９０cm〜１m１０cmに設定した請求項１〜６のいずれか１項に記載の家電収納装置。
【請求項８】
送風装置によって開口前方に放出される廃気を斜め上方に排出する構成とした請求項１〜７のいずれか１項に記載の家電収納装置。
【発明の詳細な説明】
【０００１】
【発明の属する技術分野】
本発明はシステムキッチン等の組合せシステム収納装置において、特に使用中、蒸気や熱気が発生する電気製品などを収納する家電収納装置に関するものである。
【０００２】
【従来の技術】
従来のこの種の家電収納装置は図１０、図１１に記載されているようなものが一般的であった。この家電収納装置は図１０に従来例１を示すように、家電品を置く棚１が前方にスライドし、前に出てくるように構成されている。
【０００３】
そして蒸気、熱気が発生する家電品（例えば炊飯器２、湯沸かしジャーポット３等）を手前に引き出すことにより、家電品から発生する蒸気、熱気が上部の棚板４に当たること無く家電品から発生する蒸気、熱気を逃がしてやることにより棚板４等、キャビネットのいたみをおさえられ、家電収納装置として長期間使えるするようにようになっていた。
【０００４】
また第二の従来例として図１１のような家電収納装置があった。空間５が家電品置場でこの空間５には炊飯器２、湯沸かしジャーポット３が置かれている。この後板６には送風機７が取付けられており、下部吸気口８から吸気し排気口９から上部棚板１０に沿って風を送り、発生する蒸気、熱気を強制的に手前に流すということでキャビネットの結露を防ぎ、キャビネットが長期間いたまずにつかえるというものであった。又この上部棚板１０の床面からの高さＣは１m２０cmを超えておりここにオーブントースター１１等を置くようになっていた。また足元スペースにはワゴン式込み収納ボックス１２等を収納するものであった。
【０００５】
【発明が解決しようとする課題】
しかしながら上記従来例１の家電収納装置では、家電品を置く棚１を引き出さないで使うと、上部棚板４周囲に結露が発生し、キャビネットをいためるというものであった。そこで蒸気、熱気の出る家電品を使う時、そのたびに家電品を置く棚と手前に引き出すことが必要となり、面倒であると同時に作業動線上通路の妨げにもなり危険であるという課題があった。
【０００６】
また、第二の従来の実施例の家電収納装置では家電品（炊飯器２、湯沸かしジャーポット３）などを、動かすと発生した蒸気、熱気は送風機７の風に押されて上部棚板１０の下側に沿って前方に排気されるがこの高さが床から約１m２０cmの高さになっており前に立った人の顔面に、蒸気や熱気があたり非常に不快であると言う欠点があった。この欠点を解決するために、棚１０の高さを更に高くすると下から上がってくる蒸気や熱気が分散してしまい。せっかくのファンの効果が薄れてしまうという問題があった。又この棚１０の上に置かれたオーブントースター１１は床面からの高さＣが１m２０cm以上の高さになり背の低い人が熱いものを出し入れするには危険であるという問題があったがこの高さが更に高いものになり余計に危険になるという欠点があった。
【０００７】
【課題を解決するための手段】
本発明は上記課題を解決するため前方に開口を有し、上下２室に区画された収納キャビネットにおいて下方室の天井部に廃気捕集用の天蓋を形成し、前記天蓋を下面に吸気口を設けた中空の平板状に形成するとともに上面に家電品等の物品を載置できるようにしたので使用中、蒸気や熱気が発生する電気製品などを収納した下方室でそのままの位置で使う事ができるものである。また、前記天蓋から上方室の天井部に連通した排気経路を立ち上げ、送風装置により、前記吸気口から吸い込んで捕集した廃気を前記排気経路を通じて上方室天井部近傍から収納キャビネットの開口前方に排出するようにしたので人の顔に廃気が当たりにくく快適に使用できるうえに、蒸気、熱気を出す家電品を置いたその場で使うことが出来るという効果がある。また、下方室天井部の廃気捕集用の天蓋は、棚板と吸気口を兼ねるため構造が簡単でコストもさげることができるものである。
【０００８】
【発明の実施の形態】
本発明の請求項１にかかる家電収納装置は、前方に開口を有し、上下２室に区画された収納キャビネットの下方室の天井部に廃気捕集用の天蓋を形成し、前記天蓋を下面に吸気口を設けた中空の平板状に形成するとともに上面に家電品等の物品を載置できるようにし、前記天蓋から上方室の天井部に連通した排気経路を立ち上げ、送風装置により、前記吸気口から吸い込んで捕集した廃気を前記排気経路を通じて上方室天井部近傍から収納キャビネットの開口前方に排出するようにしたものであり、より効果的に家電機器の蒸気、熱気を吸い込むことが出来、家電機器を収納したままの状態で使用可能となる。また、下方室天井部の廃気捕集用の天蓋は、棚板と吸気口を兼ねるため構造が簡単でコストもさげることができるものである。
【０００９】
本発明の請求項２にかかる家電収納装置は、排気経路を収納キャビネットの背面に配置したもので、この空間を利用して下方室の天井部に設けた廃気捕集用の天蓋から捕集した蒸気、熱気を上方室天井部近傍から収納キャビネットの開口前方に排気できる。
【００１０】
本発明の請求項３にかかる家電収納装置は、排気経路を収納キャビネットの両側面に配置したもので、この空間を利用して下方室の天井部に設けた廃気捕集用の天蓋から捕集した蒸気、熱気を上方室天井部近傍から収納キャビネットの開口前方に排気できる。
【００１１】
本発明の請求項４にかかる家電収納装置は、排気経路を収納キャビネットの背面と側面のコーナー部に配置したもので、この空間を利用して下方室の天井部に設けた廃気捕集用の天蓋からの廃気を上方室天井部近傍から収納キャビネットの開口前方に捕集した空気を排気できる。
【００１３】
本発明の請求項５にかかる家電収納装置は、上方室の天井部にも廃気捕集用の天蓋を形成し、下方室と上方室の双方で捕集した廃気を、上方室天井部から収納キャビネットの開口前方に排出するようにしたもので、上方室に置かれた家電品の蒸気、熱気も下方室と同様に上方室天井部から収納キャビネットの開口前方に排出できるものである。
【００１４】
本発明の請求項６にかかる家電収納装置は、下方室から上方室に立ち上げた排気経路の任意の高さ位置に複数個の開閉自在な通風口を設け、廃気捕集用の天蓋は前記の任意の通風口と連通し高さ位置を可変としたので、身長に合わせて廃気捕集用の天蓋の高さも任意の高さに変えられ、非常に便利である。
【００１５】
本発明の請求項７にかかる家電収納装置は、送風装置によって開口前方へ放出される床面からの高さは１m７０cm〜１m９０cmの高さにしてあるので身長の高い人でも廃気が頭に当たりにくいという長所がある。また上下２室に区画された収納キャビネットの下方の天井の廃気捕集用天蓋の上面棚板高さを約１m近傍（９０cm〜１m１０cm）にしたので、ここにオーブントースターレンジ等が置かれた場合、身長の低い人でも安全に中の物を出しいれできるという長所がある。
【００１６】
本発明の請求項８にかかる家電収納装置は、ファン装置によって開口前方に放出される方向を斜め上方に排気するようにしたので、廃気が頭をかすめることがなく、作業者の快適性をより高めるものである。
【００１７】
【実施例】
以下、本発明の実施例について図面を用いて説明する。
【００１８】
（実施例１）
図１は本発明の一実施例の家電収納装置を示す斜視図である。図２は同家電収納装置の側方断面図である。図３は図２のＢ−Ｂ断面図の例。図４は同実施例１における家電収納装置の高さをあらわす図である。
【００１９】
図１〜図４において、１３は天板、１４は底板、１５は上部棚板で床面からの高さが約１m近傍である。１６は下部棚板、１７はスライド棚で前方方向に引き出すことが出来るようになっている。１８はケコミ板、１９は後板である。これらの板を両側から挟み込むように側板２０及び２１を取付けて箱体を形成してある。この箱体は上から３つの収納部を形成している。２２は上方室、２３は下方室、２４は足元収納部である。２５は吸気捕集用天蓋でこの下面には開口部が設けられており、この開口部が天蓋２５の吸気口２６である。一方２７は天板１３下部吸気捕集用天蓋でこの中には送風装置２８が取付けられている。２９は機器の電流を検知し、機器運転時に送風装置２８をＯＮにする制御回路である。３０は送風装置２８の空気を天板下部の天蓋２７から外へ排出する排気口である。この排気口３０の高さＡは１m８０cmに設定されている。排気口３０は斜め上方に向けられている。３１は送風装置２８および制御回路２９の電源スイッチである。３２はこの天板下部の天蓋２７に設けられた吸気口である。３３は後板１９の前面に設けられたダクトである。このダクト３３は前記天板１３の下部天蓋２７と上部棚板１５の下部の天蓋２５を繋いでいる。３４は足元収納部２４の扉である。
【００２０】
３５は炊飯器、３６は湯沸かしジャーポット、３７はオーブントースタである。３８はコンセントである。
【００２１】
なお、上部棚板１５と天蓋２５および吸気口２６は一体になっていても良いのはもちろんのことである。
【００２２】
また、第３図は第２図のＢ−Ｂ断面図である。２つの下方室２３の天蓋２５と上方室２２の天蓋２７をつなぐダクト３３の断面形状はこの図のように違った形状が考えられる。アは後板全面を利用したダクトであり、収納する機器の幅方向に余裕が出る。イは左右の側板に２分割で設けられたダクトで収納する機器の奥行が大きい場合に有効である。ウは左右後方のコーナーを利用したもので見栄えが良く収納する機器の幅、奥行ともに適度の大きさを確保できるというものである。このように２つの下方室２３の天蓋２５と上方室２２の天蓋２７をつなぐダクト３３の形状がいろんな形であっても良いのはもちろんの事である。図４は本実施例の要部の高さを表す図である。本図においてＡは１m７０cm〜１m９０cm、Ｃは９０〜１m１０cmに設定してある。
【００２３】
次に動作、作用について説明すると、下方室２３の家電品、炊飯器３５、湯沸かしジャーポット３６を動作させると制御回路２９が電流を検知し送風装置２８を運転する。これと同時に時間がたてば図２のように蒸気と熱気が吹出す。これが上部のキャビネットの結露に繋がりキャビネットがいたむ原因である。そこで制御回路２９で運転していた天板下部天蓋２７内の送風装置２８により空気が排気口３０を通過して排気される。これに伴い天板下部の天蓋２７につながった後板前面のダクト３３および上部棚板下部の天蓋２５の空気も上部に引き込まれ吸気口２６から上記家電品の蒸気と熱気を吸い込むことが出来るものである。これにより家電品より排出した蒸気と熱気を効率的に上方の排気口３０から排気し結露を防ぐことが出来る。また同様に天板下部の天蓋２７に設けられた送風装置２８により天板下部に設けられた吸気口３２から熱気を吸い込むことができるものである。排気口３０は高さＡが１m７０cm〜１m９０cmあり、さらに斜め上方に向いているので背の高い人が使っても顔に蒸気や熱気が当たることもなく不快な思いをすることが無い。なお排気口３０の高さＡは高すぎても上方室２２の家電品を置く空間の上方にデッドスペースができるので１m７０cm〜１m９０cmが望ましい。
【００２４】
オーブントースター３７を載せた上部棚板１５の床面からの高さＣであるが高すぎると中へ物を出し入れするとき腕を差し上げる必要があり危険であるという問題がある。また逆に低すぎると中へ物を出し入れするときに腰をかがめる必要があり扱いにくいという問題があり、約１m（９０cm〜１m１０cm）が望ましい高さである。よって身長の低い人でもオーブントースター３７内の物を安全に出し入れできるというものである。
【００２５】
（実施例２）
図５は本発明の実施例２の家電収納装置側方断面図を示す。本実施例２において、実施例１と異なるのは下部の下方室２３上部の天蓋２５に空洞が無く天蓋２５と吸気口２６で構成されている点である。天蓋２５の全面は垂れ下がっており蒸気、熱気を逃がしにくい形状になっている。なお、実施例１と同一符号のものは同一構造を有し、説明は省略する。
【００２６】
次に動作、作用に付いて説明すると炊飯器３５、湯沸かしジャーポット３６を動作させると、制御回路２９により送風装置２８が運転する。時間がたてば蒸気、熱気が図のように上に向かって吹出す。この蒸気、熱気は送風装置２８により空気が排気口３０を通過して排気される。これに伴い天板下部の天蓋２７につながった後板前面のダクト３３及び上部棚板下部の天蓋２５にたまった蒸気と熱気も吸気口２６から吸い込むことが出来るものである。これにより家電品より排出した蒸気と熱気を効率的に上方の排気口３０から排気し結露を防ぐことが出来る。また同様に天板下部の天蓋２７に設けられた送風装置２８を運転することにより天板下部に設けられた吸気口３２から熱気を吸い込むことができるものである。排気口は高さＡが１m７０cm〜１m９０cmあり、斜め上方に向いているので人の顔に蒸気や熱気が当たることもなく不快な思いをすることが無い。
【００２７】
（実施例３）
図６は本発明の実施例３の側方断面図を示す。本実施例３において実施例１と異なるのは上部棚板１５および上部棚板下部の天蓋２５の高さを可変にした点である。具体的にはダクト３３の前面に複数の開口が設けられていてここにアタッチメント３９を取付けることにより空気が漏れないようになっている。これを必要に応じて取り外し、位置を変えることが出来るというものである。これに併せて上部棚板１５および上部棚板下部の天蓋２５を付け替えて上部棚板１５の高さを変えることが出来るものである。これによって、身長の高い人に付いてはオーブントースター３７の使い勝手が良くなるというものである。なお実施例１と同一符号のものは同一構造を有し、説明は省略する。
【００２８】
次に動作、作用に付いて説明すると炊飯器３５、湯沸かしジャーポット３６を動作させると、制御回路２９により送風装置２８が運転する。時間がたてば蒸気、熱気が図のように上に向かって吹出す。制御回路２９により送風装置２８を運転させることにより空気が排気口３０を通過して排気される。これに伴い天板下部の天蓋２７につながった後板前面のダクト３３および上部棚板１５下部の天蓋２５の吸気口２６から吸い込むことが出来るものである。これにより家電品より排出した蒸気と熱気を効率的に上方の排気口３０から排気し結露を防ぐことが出来る。また同様に天板下部の天蓋２７に設けられた送風装置２８を運転させることにより天板下部に設けられた吸気口３２から熱気を吸い込むことができるものである。排気口は高さＡが１m７０cm〜１m９０cmあり、斜め上方に向いているので人の顔に蒸気や熱気が当たることもなく不快な思いをすることが無い。
【００２９】
（実施例４）
図７は実施例３をより具体的にあらわしたもので、本発明の実施例４の斜視図である。本実施例４において実施例１と異なるのは天蓋２５の高さを可変にしたことである。この天蓋２５は実施例３の上部棚板１５とその下部の天蓋２５を一体化したものである。この天蓋２５の下面には吸気口２６が設けられている。この吸気口２６は左右に２ヵ所設けられておりこの片方の吸気口２６を閉塞板４０で開口を塞ぐことができるようになっている。Ａ−Ａ断面図とＢ矢視図でわかるようにこの閉塞板４０にはノブ４１が付いており左右にスライドさせることができるようにガイド金具４２が前後に取付けられている。天蓋２５の奥両サイドには、切り欠きがありここに天蓋通気口４３が設けられている。左右固定用ピン４４がはまり込むような切欠き４５が４ヵ所設けられている。また本体のダクト３３は左右のコーナー部を利用したタイプである。このダクト３３の天蓋２５を設置する高さの開口部はダクト通気口４６になっておりその他の開口はアタッチメント３９で塞がれている。両側板には天蓋２５固定用のピン４４が設けられており、このピン４４も高さに合わせて下穴４７が両側板８，９に設けられている。図７において天蓋２５を矢印Ｄの方向にに差し込むとダクト通気口４６と天蓋通気口４３の位置が合わせられ天蓋２５空洞からダクト３３へ連通した形となる。このようにしてピン４４の高さを替え、ダクト３３のダクト通気口４６をアタッチメント３９により変えることにより天蓋２５の高さを変えることができるというものである。なお実施例１と同一符号のものは同一構造を有し説明は省略する。
【００３０】
動作、作用について説明すると基本的には実施例の３と同じであるが空気の流れは機器類（図示せず）の動作を制御回路２９が検知し送風装置２８が動作する。これに伴い排気口３０から空気を排気するが、これによりダクト３３ダクト通気口４６天蓋通気口４３天蓋２５の空洞、吸気口２６へと繋がり機器類（図示せず）の蒸気、熱気を吸い込むことができるものである。また、この天蓋２５には左右２ヵ所に吸気口２６が設けられているが、閉塞板４０を左右に動かすことにより、必要な場所の家電品の蒸気、熱気の吸気をより強力にかつ効率的に行えるという利点がある。また天蓋２５の高さを可変にしたので、使う人の身長、収納する家電品の高さに合わせて好みの高さ調節ができるという利点もある。
【００３１】
（実施例５）
図８は本発明の実施例５の側方断面図を示す。本実施例５において実施例１と異なるのは、上方室２２に載置棚等の仕切り４８を設けた点であり、これによって上方室２２に２段置きが可能となり、これは本案の意図するのと同様の効果が得られる。なお実施例１と同一符号のものは同一構造を有し、説明は省略する。
【００３２】
ここで炊飯器３５、湯沸かしジャーポット３６を動作させると制御回路２９により送風装置２８が運転する。時間がたてば、機器から発生した蒸気、熱気は、吸気口２６からダクト３３を通して仕切り４８を越え、送風装置２８により排気口３０へと排気される。このように、仕切り４８があっても同様の効果が得られるものである。
【００３３】
（実施例６）
図９は本発明の実施例６の側方断面図を示す。本実施例６において実施例１と異なるのは、上方室２２に設けられた仕切り４８の上面から排気したところでこれについても本案の意図するのと同様の効果が得られる。なお実施例１と同一符号のものは同一構造を有し、説明は省略する。
【００３４】
ここで炊飯器３５、湯沸かしジャーポット３６から発生した蒸気、熱気は、吸気口２６からダクト３３を通して仕切り４８を越え、制御回路２９によって運転している送風装置２８により排気口３０へと排気される。このように、仕切り４８があっても同様の効果が得られるものである。
【００３５】
【発明の効果】
以上説明したように本発明に係る家電収納装置は、前方に開口を有し、上下２室に区画された収納キャビネットの下方室の天井部に廃気捕集用の天蓋を形成し、前記天蓋を下面に吸気口を設けた中空の平板状に形成するとともに上面に家電品等の物品を載置できるようにし、前記天蓋から上方室の天井部に連通した排気経路を立ち上げ、送風装置により、前記吸気口から吸い込んで捕集した廃気を前記排気経路を通じて上方室天井部近傍から収納キャビネットの開口前方に排出するようにしたので、下方室に置かれた家電品の蒸気、熱気を上方天井近傍から排気でき、家庭品を置いたままで使用できるとともに廃気が作業者の顔に当たらず快適であり、家電品を使うたびに棚板を手前に引っ張り出さなくてもよいので作業動線上邪魔にならないという効果がある。また、下方室天井部の廃気捕集用の天蓋は、棚板と吸気口を兼ねるため構造が簡単でコストもさげることができるものである。
【図面の簡単な説明】
【図１】本発明の実施例１における家電収納装置の斜視図
【図２】同家電収納装置の側方断面図
【図３】図２のＢ−Ｂ断面図
【図４】同実施例１における家電収納装置の高さを表す図
【図５】本発明の実施例２における側方断面図
【図６】本発明の実施例３における側方断面図
【図７】本発明の実施例４における斜視図
【図８】本発明の実施例５における側方断面図
【図９】本発明の実施例６における側方断面図
【図１０】従来の実施例１における家電収納装置の側方断面図
【図１１】従来の実施例２における家電収納装置の側方断面図
【符号の説明】
２２  上方室
２３  下方室
２５  下方室の天蓋
２６、３２  吸気口
２７  上方室の天蓋
２８  送風装置
３０  排気口
３３  排気経路
４６  通風口
【図１】
0004736255.tif 000002
【図２】
0004736255.tif 000003
【図３】
0004736255.tif 000004
【図４】
0004736255.tif 000005
【図５】
0004736255.tif 000006
【図６】
0004736255.tif 000007
【図７】
0004736255.tif 000008
【図８】
0004736255.tif 000009
【図９】
0004736255.tif 000010
【図１０】
0004736255.tif 000011
【図１１】
0004736255.tif 000012